(57)【要約】【課題】カラオケ歌唱を妨げることなく使用できるカラオケ用マラカスを提供する。【解決手段】容器内は、それぞれに強磁性体粒状物が封入される複数の領域に区画され、領域内の所定位置に設けられ、帯磁可能な固定部と、固定部と磁気的に接続された電磁石と、少なくとも一つの領域内において、強磁性体粒状物が互いにまたは容器の壁と衝突して発音することで予め設定された音量となるよう、電磁石への通電を制御する発音制御部と、を有するカラオケ用マラカス。【選択図】図３Ａ
2020086112.tif 000002
【特許請求の範囲】
【請求項１】
容器内に封入された強磁性体粒状物が、互いにまたは容器の壁と衝突することで発音するカラオケ用マラカスであって、
前記容器内は、それぞれに前記強磁性体粒状物が封入される複数の領域に区画され、
前記領域内の所定位置に設けられ、帯磁可能な固定部と、
前記固定部と磁気的に接続された電磁石と、
少なくとも一つの前記領域内において、前記強磁性体粒状物が互いにまたは前記容器の壁と衝突して発音することで予め設定された音量となるよう、前記電磁石への通電を制御する発音制御部と、
を有するカラオケ用マラカス。
【請求項２】
少なくとも一の前記領域を区画する壁の厚みが、他の前記領域を区画する壁の厚みと異なることを特徴とする請求項１記載のカラオケ用マラカス。
【請求項３】
カラオケ装置から、ある楽曲の歌唱区間についてカラオケ演奏中であることを示す歌唱区間信号を受信した場合、前記発音制御部は、前記カラオケ用マラカスが発音する音量が所定の音量となるよう、前記電磁石への通電を制御することを特徴とする請求項１または２記載のカラオケ用マラカス。
【請求項４】
容器内に封入された強磁性体粒状物が、互いにまたは容器の壁と衝突することで発音するカラオケ用マラカスであって、
前記容器内は、それぞれに前記強磁性体粒状物が封入され、少なくとも一の領域の広さが他の領域の広さとは異なる複数の領域に区画され、
前記領域内の所定位置に設けられ、帯磁可能な固定部と、
前記固定部と磁気的に接続された電磁石と、
少なくとも一つの前記領域内において、前記強磁性体粒状物が互いにまたは前記容器の壁と衝突して発音することで予め設定された音色となるよう、前記電磁石への通電を制御する発音制御部と、
を有するカラオケ用マラカス。
【請求項５】
カラオケ装置から、ある楽曲の歌唱区間についてカラオケ演奏中であることを示す歌唱区間信号を受信した場合、前記発音制御部は、前記カラオケ用マラカスが発音する音色が所定の音色となるよう、前記電磁石への通電を制御することを特徴とする請求項４記載のカラオケ用マラカス。
【請求項６】
前記容器と接続され、利用者が把持する把持部を有し、
前記領域は偶数個設けられ、
前記把持部が接続される側の端部近傍に前記固定部が設けられた領域と、前記把持部が接続される側とは反対側の端部近傍に前記固定部が設けられた領域とが互いに隣接するように設けられていることを特徴とする請求項１〜５のいずれか一つに記載のカラオケ用マラカス。
【発明の詳細な説明】
【技術分野】
【０００１】
本発明はカラオケ用マラカスに関する。
【背景技術】
【０００２】
カラオケ歌唱の場において、タンバリンやマラカス等の楽器が使用されることがある。歌唱者のカラオケ歌唱に合わせて、聴衆（歌唱者以外の利用者）が楽器を鳴らすことにより、カラオケ歌唱の場を盛り上げることができる。
【０００３】
このような用途に適した楽器として、特許文献１には、発光機能付きのマラカスが開示されている。このようなマラカスによれば、聴覚面だけでなく、視覚面での効果を高めることができる。また、特許文献２には、複数の粒状物収容室を設けることにより、複雑且つ大音量のリズム演奏が可能な打楽器が開示されている。
【先行技術文献】
【特許文献】
【０００４】
【特許文献１】特開平１１−３０５７６５号公報
【特許文献２】特開平０７−１２１１５８号公報
【発明の概要】
【発明が解決しようとする課題】
【０００５】
ところで、マラカスのような楽器の音量は、楽器の使い方による。たとえば聴衆がカラオケ歌唱の場を盛り上げようとマラカスを強く振った場合、音量が大きすぎて、歌唱者がカラオケ歌唱に集中できない可能性がある。特に、特許文献２に開示されているような打楽器を利用した場合には音量が大きくなり過ぎるため、上記問題が顕著となる。
【０００６】
また、楽器は、予め決まった音色で発音する。そのため、歌唱者によっては、音色が気になってカラオケ歌唱に集中できない可能性がある。
【０００７】
本発明の目的は、カラオケ歌唱を妨げることなく使用できるカラオケ用マラカスを提供することにある。
【課題を解決するための手段】
【０００８】
上記目的を達成するための一の発明は、容器内に封入された強磁性体粒状物が、互いにまたは容器の壁と衝突することで発音するカラオケ用マラカスであって、前記容器内は、それぞれに前記強磁性体粒状物が封入される複数の領域に区画され、前記領域内の所定位置に設けられ、帯磁可能な固定部と、前記固定部と磁気的に接続された電磁石と、少なくとも一つの前記領域内において、前記強磁性体粒状物が互いにまたは前記容器の壁と衝突して発音することで予め設定された音量となるよう、前記電磁石への通電を制御する発音制御部と、を有するカラオケ用マラカスである。
本発明の他の特徴については、後述する明細書及び図面の記載により明らかにする。
【発明の効果】
【０００９】
本発明によれば、カラオケ歌唱を妨げることなく使用できる。
【図面の簡単な説明】
【００１０】
【図１】第１実施形態に係るカラオケ用マラカスの外観を示す斜視図である。
【図２Ａ】第１実施形態に係るカラオケ用マラカスの内部を示す斜視図である。
【図２Ｂ】第１実施形態に係るカラオケ用マラカスの容器の断面図である。
【図３Ａ】第１実施形態に係るカラオケ用マラカスの構成を示すブロック図である。
【図３Ｂ】第１実施形態に係るカラオケ用マラカスの構成を示すブロック図である。
【図４】第１実施形態に係るカラオケ用マラカスの内部を示す斜視図である。
【図５】第１実施形態に係るカラオケ用マラカスの内部を示す斜視図である。
【図６】第１実施形態に係るカラオケ用マラカスの内部を示す斜視図である。
【図７】第１実施形態に係る電磁石の制御状態を示す図である。
【図８】第２実施形態に係るカラオケ用マラカスの容器の断面図である。
【図９】第２実施形態に係る電磁石の制御状態を示す図である。
【図１０】第３実施形態に係るカラオケ用マラカスの構成を示すブロック図である。
【発明を実施するための形態】
【００１１】
＜第１実施形態＞
図１〜図７を参照して、第１実施形態に係るカラオケ用マラカスについて説明する。
【００１２】
図１に示すように、本実施形態に係るカラオケ用マラカス１は、長球状の容器Ｃ、直線状の把持部Ｈ、及び操作子Ｄを有する。容器Ｃの内部には、発音体としての強磁性体粒状物Ｐ（図３Ａ及び図３Ｂ参照）が封入されている。把持部Ｈは、容器Ｃの基端部に接続されている。把持部Ｈは、カラオケ用マラカス１の使用時に利用者が把持する部分である。利用者が把持部Ｈを把持した状態でカラオケ用マラカス１を振ることにより、容器Ｃ内で強磁性体粒状物Ｐが移動し（図３Ａ及び図３Ｂの破線矢印参照）、互いにまたは容器Ｃの壁と衝突することで発音する。
【００１３】
容器Ｃ内は、複数の領域に区画されている。本実施形態に係る容器Ｃ内は、外壁Ｗ及び内壁Ｖにより、４つの領域（領域Ｒ１〜領域Ｒ４）に区画されている（図２Ａ及び図２Ｂ参照。図２Ｂは、図１のＡ−Ａ断面である）。外壁Ｗ及び内壁Ｖは、容器Ｃの壁を構成する。図２Ａ及び図２Ｂの例において、各領域の広さは同等である。各領域には、それぞれ強磁性体粒状物Ｐが封入されている。なお、図２Ａ及び図２Ｂでは強磁性体粒状物Ｐ及び固定部（後述）の記載を省略している。
【００１４】
操作子Ｄは、カラオケ用マラカス１が発する音量を設定するための構成である。操作子Ｄには、音量に対応する値として「１（音量最小）」〜「４（音量最大）」の目盛りが設けられている。利用者は、操作子Ｄをいずれかの目盛りに合わせることにより、カラオケ用マラカス１が発する音量を設定する。カラオケ用マラカス１は、目盛りに対応する音量で発音するよう調節される（詳細は後述）。なお、操作子Ｄは、図１に示したようなスライド式に限らず、ダイヤル式であってもよい。
【００１５】
図３Ａ及び図３Ｂはカラオケ用マラカス１の構成を模式的に示したブロック図である。図３Ｂは、図３Ａに示したカラオケ用マラカス１を長軸周りに１８０度回転させた図である。
【００１６】
図３Ａ及び図３Ｂに示すように、カラオケ用マラカス１は、強磁性体粒状物Ｐ、複数の固定部、複数の電磁石、及び制御装置Ｍを有する。この例において、強磁性体粒状物Ｐ及び複数の固定部は、容器Ｃの内部に設けられる。一方、電磁石及び制御装置Ｍは、把持部Ｈの内部に設けられる。また、電磁石は固定部に隣接し、固定部を帯磁可能なように設けられる。なお、把持部Ｈの内部には電磁石や制御装置Ｍに電力を供給する電源（図示なし）等も設けられる。
【００１７】
強磁性体粒状物Ｐは、直径１ｍｍ程度の金属の粒である。強磁性体粒状物Ｐは、容器Ｃ内（各領域内）に多数、封入される。
【００１８】
固定部は、たとえば強磁性体の材料からなる帯磁可能な構成である。固定部は、領域内の所定位置に設けられる。本実施形態では、領域Ｒ１に固定部Ｆ１が設けられ、領域Ｒ２に固定部Ｆ２が設けられ、領域Ｒ３に固定部Ｆ３が設けられ、領域Ｒ４に固定部Ｆ４が設けられる（図３Ａ及び図３Ｂ参照）。
【００１９】
所定位置の具体例として、各固定部は、把持部Ｈが接続される側の端部（容器Ｃの基端部）近傍に設けることができる（図４参照）。また、各固定部は、把持部Ｈが接続される側とは反対側の端部（容器Ｃの先端部）近傍に電磁石と共に設けることができる（図５参照）。或いは、本実施形態のように、領域が偶数個設けられている場合、把持部Ｈが接続される側の端部近傍に固定部が設けられた領域と、把持部Ｈが接続される側とは反対側の端部近傍に固定部が設けられた領域とが互いに隣接するように設けられていてもよい。たとえば図６の例では、把持部Ｈが接続される側の端部近傍に固定部Ｆ１（固定部Ｆ３）が設けられた領域Ｒ１（領域Ｒ３）と、把持部Ｈが接続される側とは反対側の端部近傍に固定部Ｆ２（固定部Ｆ４）が設けられた領域Ｒ２（領域Ｒ４）とが互いに隣接するように設けられている。図４〜図６においては、強磁性体粒状物Ｐの記載を省略している。
【００２０】
図４〜図６の例において、固定部は、容器Ｃの外壁Ｗ及び内壁Ｖに沿った、断面が扇状の領域として設けられている。各領域内に封入される強磁性体粒状物Ｐの数は、各固定部に収まる程度であることが好ましい。
【００２１】
電磁石は、固定部を帯磁可能なように配設されている。たとえば、本実施形態では電磁石は固定部と隣接している。以下、このような構成を「電磁石は、固定部と磁気的に接続されている」構成として記載する。電磁石は、通常はＯＦＦ状態であり、通電によりＯＮ状態となる。ＯＮ状態は、磁石として機能する状態であり、ＯＦＦ状態は磁石として機能しない状態である。
【００２２】
本実施形態では、電磁石Ｅ１は固定部Ｆ１と接続され、電磁石Ｅ２は固定部Ｆ２と接続され、電磁石Ｅ３は固定部Ｆ３と接続され、電磁石Ｅ４は固定部Ｆ４と接続される（図３Ａ及び図３Ｂ参照）。
【００２３】
制御装置Ｍは、カラオケ用マラカス１の各種制御を行う。図３Ａ及び図３Ｂに示すように、本実施形態に係る制御装置Ｍは、発音制御部１０として機能する。
【００２４】
発音制御部１０は、少なくとも一つの領域内において、強磁性体粒状物Ｐが互いにまたは容器Ｃの壁と衝突して発音することで予め設定された音量となるよう、電磁石への通電を制御する。
【００２５】
本実施形態において、発音制御部１０は、電磁石に通電することにより発音を禁止する。
【００２６】
複数の電磁石Ｅ１〜電磁石Ｅ４のうち、どの電磁石に通電するかは、テーブルデータにより予め設定されている。図７は、本実施形態における領域Ｒ１〜領域Ｒ４（固定部Ｆ１〜固定部Ｆ４）に対応する電磁石Ｅ１〜電磁石Ｅ４の制御状態（ＯＮ／ＯＦＦ状態）を示したテーブルである。
【００２７】
たとえば、操作子Ｄの目盛りが「１（音量最小）」の場合、発音制御部１０は、電磁石Ｅ２、電磁石Ｅ３、及び電磁石Ｅ４に通電する。
【００２８】
発音制御部１０が電磁石に通電した場合、電磁石はＯＮ状態となる。電磁石が発生する磁力により、固定部は帯磁する。固定部が帯磁することにより、領域内の強磁性体粒状物Ｐは固定部に固定される。
【００２９】
上記のように、電磁石Ｅ２、電磁石Ｅ３、及び電磁石Ｅ４に通電した場合、領域Ｒ２、領域Ｒ３、及び領域Ｒ４内の強磁性体粒状物Ｐは、固定部Ｆ２、固定部Ｆ３、及び固定部Ｆ４に固定される。
【００３０】
この状態でカラオケ用マラカス１を振った場合、領域Ｒ１内の強磁性体粒状物Ｐのみが移動可能となっているため、領域Ｒ１からのみ発音される。このように、一の領域のみから発音される音量は、二以上の領域から発音される音量に比べて小さい値となる。
【００３１】
一方、操作子Ｄの目盛りが「４（音量最大）」の場合、図７のテーブルに基づいて、発音制御部１０は、全ての電磁石への通電を中止する。この場合、全ての電磁石はＯＦＦ状態となる。従って、いずれの固定部も帯磁しないため、全ての領域において強磁性体粒状物が固定されることはない。
【００３２】
この状態でカラオケ用マラカス１を振った場合、全ての領域内において強磁性体粒状物が移動可能となっているため、全ての領域から発音される。このように、全ての領域から発音される音量は、三以下の領域のみから発音される音量に比べて大きい値となる。
【００３３】
このように本実施形態に係るカラオケ用マラカス１は、容器Ｃ内に封入された強磁性体粒状物Ｐが、互いにまたは容器Ｃの壁と衝突することで発音する。容器Ｃ内は、それぞれに強磁性体粒状物Ｐが封入される複数の領域Ｒ１〜領域Ｒ４に区画されている。カラオケ用マラカス１は、領域Ｒ１〜領域Ｒ４内の所定位置に設けられ、帯磁可能な固定部Ｆ１〜Ｆ４と、固定部Ｆ１〜Ｆ４と磁気的に接続された電磁石Ｅ１〜電磁石Ｅ４と、少なくとも一つの領域内において、強磁性体粒状物Ｐが互いにまたは容器Ｃの壁と衝突して発音することで予め設定された音量となるよう、電磁石Ｅ１〜電磁石Ｅ４への通電を制御する発音制御部１０と、を有する。
【００３４】
このようなカラオケ用マラカス１によれば、発音する音量を所望の値に設定することができる。たとえば聴衆は、歌唱者に対し、どの程度の音量でカラオケ用マラカス１を鳴らしてよいかを予め確認する。そして、聴衆が操作子Ｄを介して予め音量を設定しておくことにより、カラオケ用マラカス１は、歌唱者が希望する音量で発音するよう調節される。よって、歌唱者は、カラオケ用マラカス１の音を気にすることなく、カラオケ歌唱を行うことができる。すなわち、本実施形態に係るカラオケ用マラカス１によれば、カラオケ歌唱を妨げることなく使用できる。
【００３５】
また、容器Ｃと接続され、利用者が把持する把持部Ｈを有し、領域は偶数個（本実施形態では４個）設けられ、把持部Ｈが接続される側の端部近傍に固定部Ｆ１（固定部Ｆ３）が設けられた領域Ｒ１（領域Ｒ３）と、把持部Ｈが接続される側とは反対側の端部近傍に固定部Ｆ２（固定部Ｆ４）が設けられた領域Ｒ２（領域Ｒ４）とが互いに隣接するように設けられている構成であってもよい。このように構成した場合、隣接する領域において、一方の領域に設けられた固定部が帯磁したとしても、他方の領域に設けられた固定部が磁気的な影響を受ける可能性を低減することができる。
【００３６】
なお、本実施形態に係るカラオケ用マラカス１において、固定部は少なくとも一つの領域に対して設けられていればよい。すなわち、固定部を有しない領域があってもよい。
【００３７】
また、少なくとも一の領域を区画する壁の厚みが、他の領域を区画する壁の厚みと異なるように構成してもよい。一般に容器の壁の厚みが薄いほど、使用時の音量が大きくなる。そこで、領域毎に壁の厚みを調整することでカラオケ用マラカス１の発する音量をより細かく調節することができる。具体的には、各領域の壁の厚みをそれぞれ異ならせることが可能である。また、一部の領域を区画する壁の厚みを他の領域を区画する壁の厚みと異ならせることでもよい。或いは、外壁Ｗまたは内壁Ｖの一方の厚みのみを異ならせることでもよい。
【００３８】
＜第２実施形態＞
次に、図８及び図９を参照して、第２実施形態に係るカラオケ用マラカスについて説明する。本実施形態では、カラオケ用マラカス１を使用する際に、予め設定された音色で発音させる構成について説明を行う。第１実施形態と同様の構成については詳細な説明を省略する。
【００３９】
本実施形態に係る操作子Ｄは、カラオケ用マラカス１が発する音色を設定するための構成である。マラカスの音色は、たとえばピッチの違いにより特定できる。歌唱者や聴衆は、一般にピッチが高い場合には「音色が明るい」と感じ、ピッチが低い場合には「音色が暗い」と感じる。操作子Ｄには、カラオケ用マラカス１が発する音色に対応する値として「１（明るい音色）」〜「４（暗い音色）」の目盛りが設けられている。
【００４０】
また、一般的に、マラカスは、容器の大きさを変えることにより、ピッチを変えることができることが知られている。具体的に、容器を小さくするとピッチが高くなり、容器を大きくするとピッチが低くなる。
【００４１】
本実施形態に係る容器Ｃ内は、それぞれに強磁性体粒状物Ｐが封入され、少なくとも一の領域の広さが他の領域の広さとは異なる複数の領域から構成されている。
【００４２】
図８は、容器Ｃをカラオケ用マラカス１の短軸に沿って切断した断面図である。本実施形態において、領域Ｒ１の中心角は約３６度、領域Ｒ２の中心角は約７２度、領域Ｒ３の中心角は約１０８度、領域Ｒ４の中心角は約１４４度となっている。すなわち、各領域の広さの比率は、「Ｒ１：Ｒ２：Ｒ３：Ｒ４＝１：２：３：４」となっている。この場合、最も狭い領域Ｒ１が発する音色が最も明るく（最もピッチが高く）、最も広い領域Ｒ４が発する音色が最も暗く（最もピッチが低く）なる。
【００４３】
固定部及び電磁石は、第１実施形態と同様である。すなわち、本実施形態において、領域Ｒ１〜領域Ｒ４には固定部Ｆ１〜固定部Ｆ４が設けられている。また、固定部Ｆ１〜固定部Ｆ４に対応する電磁石Ｅ１〜Ｅ４が把持部Ｈの内部に設けられている。ここで、各固定部の広さの比率は、「Ｆ１：Ｆ２：Ｆ３：Ｆ４＝１：２：３：４」となっている。上述したように各領域内に封入される強磁性体粒状物Ｐの数は、各固定部に収まる程度であることが好ましい。従って、各領域内に封入される強磁性体粒状物Ｐの数を「Ｒ１：Ｒ２：Ｒ３：Ｒ４＝１：２：３：４」としてもよい。また、各領域内に封入される強磁性体粒状物Ｐの数を全て固定部Ｆ１に収まる程度としてもよい。或いは、各固定部の広さが同じになるよう各固定部の高さを変更し、各領域内に封入される強磁性体粒状物Ｐの数を同じ、且つ各固定部に収まる程度としてもよい。この場合、各固定部の高さは「Ｆ１＞Ｆ２＞Ｆ３＞Ｆ４」である。
【００４４】
本実施形態に係る発音制御部１０は、少なくとも一つの領域内において、強磁性体粒状物Ｐが互いにまたは容器Ｃの壁と衝突して発音することで予め設定された音色となるよう、電磁石への通電を制御する。
【００４５】
複数の電磁石Ｅ１〜電磁石Ｅ４のうち、どの電磁石に通電するかは、テーブルデータにより予め設定されている。図９は、本実施形態における領域Ｒ１〜領域Ｒ４に対応する電磁石Ｅ１〜電磁石Ｅ４の制御状態（ＯＮ／ＯＦＦ状態）を示したテーブルである。
【００４６】
たとえば、操作子Ｄの目盛りが「１（明るい音色）」の場合、発音制御部１０は、電磁石Ｅ２、電磁石Ｅ３、及び電磁石Ｅ４に通電する。
【００４７】
発音制御部１０が電磁石に通電した場合、電磁石はＯＮ状態となる。電磁石が発生する磁力により、固定部は帯磁する。固定部が帯磁することにより、領域内の強磁性体粒状物Ｐは固定部に固定される。
【００４８】
上記のように、電磁石Ｅ２、電磁石Ｅ３、及び電磁石Ｅ４に通電した場合、領域Ｒ２、領域Ｒ３、及び領域Ｒ４内の強磁性体粒状物Ｐは、固定部Ｆ２、固定部Ｆ３、及び固定部Ｆ４に固定される。
【００４９】
このような状態でカラオケ用マラカス１を振った場合、領域Ｒ１内の強磁性体粒状物Ｐのみが移動可能であるため、最も高いピッチ（最も明るい音色）で発音する領域Ｒ１からのみ発音される。
【００５０】
一方、操作子Ｄの目盛りが「４（暗い音色）」の場合、図９のテーブルに基づいて、発音制御部１０は、電磁石Ｅ１、電磁石Ｅ２、及び電磁石Ｅ３に通電する。電磁石Ｅ１、電磁石Ｅ２、及び電磁石Ｅ３に通電した場合、領域Ｒ１、領域Ｒ２、及び領域Ｒ３内の強磁性体粒状物Ｐは、固定部Ｆ１、固定部Ｆ２、及び固定部Ｆ３に固定される。
【００５１】
このような状態でカラオケ用マラカス１を振った場合、領域Ｒ４内の強磁性体粒状物Ｐのみが移動可能であるため、最も低いピッチ（最も暗い音色）で発音する領域Ｒ４からのみ発音される。
【００５２】
このように本実施形態に係るカラオケ用マラカス１は、容器Ｃ内に封入された強磁性体粒状物Ｐが、互いにまたは容器Ｃの壁と衝突することで発音する。容器Ｃは、それぞれに強磁性体粒状物Ｐが封入され、少なくとも一の領域の広さが他の領域の広さとは異なる複数の領域から構成される。カラオケ用マラカス１は、領域Ｒ１〜領域Ｒ４内の所定位置に設けられ、帯磁可能な固定部Ｆ１〜固定部Ｆ４と、固定部Ｆ１〜固定部Ｆ４と磁気的に接続された電磁石Ｅ１〜電磁石Ｅ４と、少なくとも一つの領域内において、強磁性体粒状物Ｐが互いにまたは領域の壁と衝突して発音することで予め設定された音色となるよう、電磁石への通電を制御する発音制御部１０と、を有する。
【００５３】
このようなカラオケ用マラカス１によれば、発音する音色を所望の音色に設定することができる。たとえば聴衆は、歌唱者に対し、どのような音色でカラオケ用マラカス１を鳴らしてよいかを予め確認する。そして、聴衆が操作子Ｄを介して予め音色を設定しておくことにより、カラオケ用マラカス１は、歌唱者が希望する音色で発音するよう調節される。よって、歌唱者は、カラオケ用マラカス１の音を気にすることなく、カラオケ歌唱を行うことができる。すなわち、本実施形態に係るカラオケ用マラカス１によれば、カラオケ歌唱を妨げることなく使用できる。
【００５４】
＜第３実施形態＞
次に、図１０を参照して、第３実施形態に係るカラオケ用マラカスについて説明する。
【００５５】
歌唱者の中には、カラオケ歌唱中は極力、楽器の使用を控えて欲しいと考える者もいる。一方で、場を盛り上げるために楽器を使用している聴衆に対して楽器の使用を控えて欲しいとは言い難いこともある。そこで、本実施形態では、カラオケ歌唱中は、自動的に所定の音量や音色となるような構成について説明を行う。第１実施形態及び第２実施形態と同様の構成については詳細な説明を省略する。
【００５６】
図１０に示したように、本実施形態に係るカラオケ用マラカス１（制御装置Ｍ）は、カラオケ装置Ｋと通信可能となっている。カラオケ用マラカス１とカラオケ装置Ｋとの通信は、一般的な近距離無線技術を利用することができる。また、カラオケ装置Ｋとカラオケ用マラカス１とは予めペアリングされている。
【００５７】
たとえば、歌唱者Ｘは、カラオケ装置Ｋを利用して楽曲Ｙのカラオケ歌唱を行うとする。この場合、カラオケ装置Ｋは、楽曲Ｙの楽曲データから歌唱者が発声する歌唱区間とそれ以外の区間（非歌唱区間）を特定する。カラオケ装置Ｋは、歌唱区間のカラオケ演奏中は歌唱区間信号をカラオケ用マラカス１に送信する。歌唱区間信号は、ある楽曲の歌唱区間についてカラオケ演奏中であることを示す信号である。
【００５８】
発音制御部１０は、カラオケ装置Ｋから送信される歌唱区間信号を受信する。この場合、発音制御部１０は、発音する音量が所定の音量となるよう、電磁石への通電を制御する。所定の音量は、一般的な歌唱者にとってカラオケ歌唱の妨げにならない程度の値等、予め任意の値が設定されている。
【００５９】
たとえば、所定の音量として、第１実施形態の例における、操作子Ｄの目盛り「１」が示す値と同様の音量が設定されているとする。
【００６０】
ここで、カラオケ装置Ｋから歌唱区間信号を受信した場合、現時点で設定されている音量に関わらず、発音制御部１０は、電磁石Ｅ２、電磁石Ｅ３、及び電磁石Ｅ４に通電する。この場合、領域Ｒ２、領域Ｒ３、及び領域Ｒ４内の強磁性体粒状物Ｐは、固定部Ｆ２、固定部Ｆ３、及び固定部Ｆ４に固定される。
【００６１】
このような状態でカラオケ用マラカス１を振った場合、聴衆が設定した音量に関わらず、領域Ｒ１内の強磁性体粒状物Ｐのみが移動可能となるため、領域Ｒ１からのみ発音される。
【００６２】
その後、歌唱者Ｘのカラオケ歌唱が終了したとする。この場合、カラオケ装置Ｋは歌唱区間信号の送信を停止する。
【００６３】
所定期間、歌唱区間信号を受信しなかった場合、発音制御部１０は、聴衆が設定した音量となるよう、電磁石への通電を制御する。
【００６４】
たとえば、聴衆が設定した音量として、第１実施形態の例における、操作子Ｄの目盛り「４」が示す値と同様の音量が設定されているとする。
【００６５】
ここで、カラオケ装置Ｋから所定期間、歌唱区間信号を受信しなかった場合、発音制御部１０は、電磁石Ｅ１〜電磁石Ｅ４の通電を中止する。このような状態においてカラオケ用マラカス１を振った場合、全ての領域内において強磁性体粒状物Ｐが移動可能となるため、全ての領域から発音される。
【００６６】
このように、本実施形態に係る発音制御部１０は、カラオケ装置Ｋから、ある楽曲の歌唱区間についてカラオケ演奏中であることを示す歌唱区間信号を受信した場合、カラオケ用マラカス１が発音する音量が所定の音量となるよう、電磁石への通電を制御する。
【００６７】
このようなカラオケ用マラカス１によれば、歌唱区間のカラオケ演奏中には、聴衆の設定した音量に関わらず、所定の音量で発音する。従って、歌唱者は、カラオケ用マラカス１の音を気にすることなく、カラオケ歌唱を行うことができる。すなわち、本実施形態に係るカラオケ用マラカス１によれば、カラオケ歌唱を妨げることなく使用できる。
【００６８】
また、上記例と同様の処理により、発音する音色を所定の音色とすることも可能である。
【００６９】
すなわち、本実施形態に係る発音制御部１０は、カラオケ装置Ｋから、ある楽曲の歌唱区間についてカラオケ演奏中であることを示す歌唱区間信号を受信した場合、カラオケ用マラカス１が発音する音色が所定の音色となるよう、電磁石への通電を制御する。
【００７０】
このようなカラオケ用マラカス１によれば、歌唱区間のカラオケ演奏中には、聴衆の設定した音色に関わらず、所定の音色で発音する。従って、歌唱者は、カラオケ用マラカス１の音色を気にすることなく、カラオケ歌唱を行うことができる。すなわち、本実施形態に係るカラオケ用マラカス１によれば、カラオケ歌唱を妨げることなく使用できる。
【００７１】
＜その他＞
なお、上記実施形態における容器Ｃや把持部Ｈの形状や、カラオケ用マラカス１の内部の配置等は上記例に限られない。
【００７２】
たとえば、容器Ｃは球状であってもよい。また、領域の数は少なくとも２つあればよい。また、各電磁石を各領域内に設けてもよい。また、固定部を容器の先端部側と基端部側の両方に電磁石と共に設けてもよい（図４に示した固定部と図５に示した固定部の双方を有する形でもよい）。このように、一の領域に複数の固定部を設けることにより、領域内で移動する強磁性体粒状物Ｐをより確実に捕捉し、消音することが可能となる。或いは、領域内全体に固定部を設けてもよい。
【００７３】
また、カラオケ装置Ｋは、歌唱区間信号を送信する代わりに、歌唱区間の開始信号と終了信号を送信することでもよい。開始信号を受信した場合、発音制御部１０は、カラオケ用マラカス１が発音する音量（または音色）が所定の音量（または音色）となるよう、電磁石への通電を制御する。一方、終了信号を受信した場合、発音制御部１０は、カラオケ用マラカス１が発音する音量（または音色）が、聴衆が設定した音量（または音色）となるよう、電磁石への通電を制御する。このような構成によれば、楽曲の非歌唱区間においては、聴衆が設定した音量（または音色）でカラオケ用マラカス１の使用が可能となるため、カラオケ歌唱を妨げることなく、カラオケ歌唱の場を更に盛り上げることができる。
【００７４】
また、第３実施形態に係る所定の音量は、カラオケ装置Ｋ側で都度、設定してもよい。たとえば、カラオケ装置Ｋは、歌唱者の歌唱音声を解析し、解析結果に応じて所定の音量（または音色）を決定する。カラオケ装置Ｋは、決定した所定の音量（または音色）を歌唱区間信号と併せてカラオケ用マラカス１に送信する。カラオケ用マラカス１の発音制御部１０は、受信した所定の音量（または音色）となるよう、電磁石への通電を制御する。このように歌唱者の歌唱音声に基づいて所定の音量（または音色）を都度決定することにより、歌唱者毎にカラオケ歌唱の妨げにならない音量（または音色）でカラオケ用マラカス１を使用できる。
【００７５】
また、カラオケ用マラカス１は、消磁機能を備えてもよい。これにより、長時間の使用により強磁性体粒状物Ｐ及び固定部が磁化しても消磁することができる。消磁機能は公知の技術を用いることができる。たとえば、制御装置Ｍは、交流電流により電磁石に交番磁界を発生させる。そして、磁化した強磁性体粒状物Ｐ及び固定部を交番磁界に置いた状態で、制御装置Ｍは、徐々に電流を０に近付けていくよう制御することにより、強磁性体粒状物Ｐ及び固定部を消磁することができる。
【００７６】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００７７】
１  カラオケ用マラカス
１０  発音制御部
Ｃ  容器
Ｅ１〜Ｅ４  電磁石
Ｆ１〜Ｆ４  固定部
Ｈ  把持部
Ｍ  制御装置
Ｐ  強磁性体粒状物
Ｒ１〜Ｒ４  領域
Ｗ  外壁
Ｖ  内壁
【図１】
2020086112.tif 000003
【図２Ａ】
2020086112.tif 000004
【図２Ｂ】
2020086112.tif 000005
【図３Ａ】
2020086112.tif 000006
【図３Ｂ】
2020086112.tif 000007
【図４】
2020086112.tif 000008
【図５】
2020086112.tif 000009
【図６】
2020086112.tif 000010
【図７】
2020086112.tif 000011
【図８】
2020086112.tif 000012
【図９】
2020086112.tif 000013
【図１０】
2020086112.tif 000014